(57)【特許請求の範囲】
【請求項１】
自動プリント機能を有する画像形成装置において、
プリントに関する操作情報を入力する入力手段と、
この入力手段から入力された情報がプリントの実行に直接関連するか否かを判定するプリント情報判定手段と、
前記自動プリント機能を抑制する抑制手段と、
前記プリント情報判定手段の判定結果、プリント実行に直接関係があると判定された場合は前記抑制手段を作動させ、プリント実行に直接関係がないと判定された場合は前記抑制手段の作動を禁止する抑制制御手段と
を有することを特徴とする画像形成装置。
【請求項２】
外部から受信した画像を自動的にプリントする自動プリント機能を有する画像形成装置において、
画像の受信を検出する受信検出手段と、
プリントに関する操作情報を入力する入力手段と、
この入力手段から入力された情報がプリントの実行に直接関連するか否かを判定するプリント情報判定手段と、
前記自動プリント機能を抑制する抑制手段と、
前記受信検出手段により画像の受信を検出した場合、前記プリント情報判定手段の判定結果、プリント実行に直接関係があると判定されたときは前記抑制手段を作動させ、プリント実行に直接関係がないと判定されたときは前記抑制手段の作動を禁止する抑制制御手段と
を有することを特徴とする画像形成装置。
【請求項３】
前記抑制手段はタイマであり、
前記抑制制御手段は、このタイマの起動を制御する
ことを特徴とする請求項１又は２に記載の画像形成装置。
【請求項４】
原稿画像を読取るスキャンユニットを有し、
このスキャンユニットは、自動原稿送り装置と、この自動原稿送り装置に原稿がセットされたか否かを検出する原稿セット検出器とを有し、
この原稿検出器からの検出信号が前入力手段に入力され、
前記プリント情報判定手段は、原稿検出器からの原稿セット信号はプリント実行に直接関係しないと判定する
ことを特徴とする請求項１乃至３のいずれかに記載の画像形成装置。
【請求項５】
原稿画像を読取るスキャンユニットを有し、
このスキャンユニットは、原稿を置くプラテンと、このプラテンに原稿を置くために開閉されるプラテンカバーと、このプラテンカバーの開閉を検出するプラテンカバー開閉検出器とを有し、
このプラテンカバー開閉検出器からの検出信号が前記入力手段により入力され、
前記プリント情報判定手段は、プラテンカバー開閉検出器からの開又は閉のいずれかの信号はプリント実行に直接関係しないと判定する
ことを特徴とする請求項１乃至４のいずれかに記載の画像形成装置。
【発明の詳細な説明】
【０００１】
【発明の属する技術分野】
本発明は、コピー、プリント、ファクシミリ等の複数の機能を有するいわゆる複合機と呼ばれる画像形成装置に関するものである。
【従来の技術及び発明が解決しようとする課題】
【０００２】
この種の画像形成装置においては、複数のジョブを登録することができ、複数のジョブを順番に自動的にプリントする自動プリント機能を備えている。しかしながら、画像形成装置の前で操作するユーザのジョブを優先させる必要があるため、画像形成装置に備えた操作ボタンが押された場合は、自動プリントを禁止して画像形成装置の動作を一時停止し、操作ボタンが押されたジョブを優先的に実行できるようにする。
【０００３】
一方、ユーザが行う全ての操作に対して自動プリントを禁止すると、画像形成装置の待ち時間が生じる回数が増大してプリントの生産性が低下する。そこで、特開平９−２６１３７９号公報においては、不必要に自動プリント機能を禁止することがないようにしている。この従来例では、ファクシミリの送信原稿の読み込み操作を不必要なものとし、ファクシミリ送信操作がなされた場合は自動プリントを実行し、コピー関連又はプリント関連の操作があると判断されたときのみ自動プリントを禁止するようにしている。
【０００４】
しかしながら、コピー関連又はプリント関連の操作においても問題を残している。例えばプリント関連の操作として、画像形成装置内部のジョブ状態を一覧表示して確認する場合があるが、この場合に自動プリントを禁止すると、ジョブ一覧画面を表示する度毎に自動プリントが禁止され、ユーザが確認する都度、画像形成装置が停止する回数が増大してプリントの生産性が低下するという問題点があった。
【０００５】
本発明は、コピー関連又はプリント関連の操作においてもプリントの実行に直接関連があるものとないものとがあることに着目し、自動プリントを禁止する機会を減少させてプリントの生産性を向上させることを課題としている。
【０００６】
【課題を解決するための手段】
上記課題を達成するため、本発明の第１の特徴とするところは、自動プリント機能を有する画像形成装置において、プリントに関する操作情報を入力する入力手段と、この入力手段から入力された情報がプリントの実行に直接関連するか否かを判定するプリント情報判定手段と、前記自動プリント機能を抑制する抑制手段と、前記プリント情報判定手段の判定結果、プリント実行に直接関係があると判定された場合は前記抑制手段を作動させ、プリント実行に直接関係がないと判定された場合は前記抑制手段の作動を禁止する抑制制御手段と抑制制御手段とを有する画像形成装置にある。
したがって、プリントに関する操作情報が入力された場合、プリント情報判定手段により、プリントの実行に直接関係するか否かが判断され、プリントに直接関係があると判断された場合は自動プリントが禁止され、プリントに直接関連がないと判断された場合は自動プリントを実行するようにしたので、プリントに関する操作情報が入力された場合であっても自動プリントを禁止しないときを生じさせることができ、自動プリントを禁止する機会を減少させることができる。
【０００７】
また、本発明の第２の特徴とするところは、外部から受信した画像を自動的にプリントする自動プリント機能を有する画像形成装置において、画像の受信を検出する受信検出手段と、プリントに関する操作情報を入力する入力手段と、この入力手段から入力された情報がプリントの実行に直接関連するか否かを判定するプリント情報判定手段と、前記自動プリント機能を抑制する抑制手段と、前記受信検出手段により画像の受信を検出した場合、前記プリント情報判定手段の判定結果、プリント実行に直接関係があると判定されたときは前記抑制手段を作動させ、プリント実行に直接関係がないと判定されたときは前記抑制手段の作動を禁止する抑制制御手段とを有する画像形成装置にある。
外部から画像を受信した場合、ユーザがプリントの実行に直接関連がある操作をしたときは自動プリントが禁止され、プリントには関連するが、プリントの実行には直接関連しない操作をしたときは自動プリントが継続されるので、ユーザが行ったプリント操作と受信した画像のプリントとの調停をバランスよく行うことができる。
【０００８】
上述した抑制手段としてはタイマを用いることが好ましく、抑制制御手段は、このタイマの起動を制御し、自動プリントを一定時間禁止するようにすることができる。また、原稿を読取るスキャンユニットが設けられた画像形成装置においては、ユーザが自動原稿送り装置に原稿をセットした場合、又はプラテンカバーを開閉した場合は、プリントの実行に直接関係がある操作がなされない限りはプリントの実行に直接関連がない操作として自動プリントの抑制を禁止するようにすることが好ましい。
【０００９】
ここで、プリントの実行に直接関連があると判断される操作には、コピーの枚数等の設定、手動レポートの設定、保存文書プリントの設定等がある。プリントの実行に直接関連がないと判断される操作には、上述したスキャンユニットの操作に加え、割り込み操作、ジョブ一覧を表示させる操作、プリカウント確認画面を表示させる操作等がある。
【００１０】
【発明の実施の形態】
次に本発明の実施形態を図面に基づいて説明する。
図１において、画像形成装置１０は、プリントユニット１２とスキャンユニット１４とを有し、プリントユニット１２は、例えば３段の記録媒体供給トレイ１６を有し、これら記録媒体供給トレイ１６のそれぞれには供給ヘッド１８が設けられている。記録媒体供給トレイ１６の一つが選択されると、供給ヘッド１８が作動して選択された記録媒体供給トレイ１６から記録媒体供給路２０を介してプリントエンジン１８に供給される。
【００１１】
プリントエンジン２２は、例えば白黒兼用のカラーゼログラフィからなり、イエロー、マゼンダ、シアン及びブラックの各感光体２４が並設されていると共に、中間転写ベルト２６が設けられている。各感光体２４の周囲には、図示しない帯電装置、露光装置、現像装置、一次転写装置、クリーニング装置等が配置され、各感光体２４に形成されたトナー像が中間転写ベルト２６に転写される。白黒設定された場合は、ブラックのみが作動可能であるようにされる。中間転写ベルト２６のトナー像は、二次転写ロール２８により、送られてきた記録媒体に転写され、定着装置３０により定着され、このトナー像が定着された記録媒体が記録媒体排出路３２を通って排出トレイ３４に排出される。
【００１２】
ただし、両面印刷が設定された場合は、定着装置３０により表面が定着された記録媒体は、記録媒体排出路３２から反転装置３６に送られ、この反転装置３６で反転され、記録媒体反転路３８に送られ、再び記録媒体供給路２０に戻され、プリントエンジン２２に送られて裏面の印刷がなされる。
【００１３】
スキャンユニット１４は、両面原稿の読み取りが可能なＤＡＤＦ等の自動原稿送り装置４０を有し、この自動原稿送り装置４０により原稿はプラテン４２に送られ、このプラテン４２上でＣＣＤ等からなる読取部４４により原稿の画像が読み取られる。自動原稿送り装置４０に原稿がセットされたか否かを検出する原稿セット検出器４６が設けられている。また、自動原稿送り装置４０はプラテンカバーを兼ねており、このプラテンカバーを開けることにより原稿をプラテン４２上に置くことができる。このプラテンカバーの開閉は、プラテンカバー開閉検出器４８により検出できるようになっている。また、この画像形成装置１０は、公衆回線へ接続されたファクシミリ用のモデムと、ＬＡＮ等のネットワークに接続されるネットワーク通信装置が設けられている。
【００１４】
ユーザインターフェイス装置５０（以下、ＵＩ装置５０という。）は、画像形成装置１０と一体に、又はネットワークを介して設けられ、画像形成装置１０の処理内容を選択し、かつ表示するようになっている。
【００１５】
図２乃至図６において、上記ＵＩ装置５０の操作パネル５２が示されている。この操作パネル５２は、押しボタン群を有する押しボタン部５４と、液晶表示装置とタッチパネルを組み合わせたタッチパネル表示部５６とを有する。
【００１６】
図２はコピー設定画面を示す。図２において、押しボタン部５４は、コピー枚数等を設定するテンキー５８、割り込みモードにさせる割り込みボタン６０、手動レポートを表示させる手動レポートボタン６２、ジョブ一覧表示にさせるジョブ一覧ボタン６４、カウント確認表示させるカウント表示ボタン６６、保存文書を表示させる保存文書ボタン６８、設定をクリアするクリアボタン７０、及びコピーのスタートを指示するスタートボタン７２を有する。タッチパネル表示部５６は、前述した記録媒体給紙トレイからの用紙を選択させる用紙選択ボタン７４、倍率を設定する倍率設定ボタン７６,７６、倍率を表示する倍率表示部７８及び自動、及びカラー又は白黒を選択するカラー選択ボタン８０を有する。
【００１７】
図３はジョブ一覧表示画面を示す。図２のコピー設定画面において、ジョブ一覧ボタン６２を押すことによりこのジョブ一覧表示画面に切り替えられる。押しボタン部５４は、前述したコピー設定画面と同じく、テンキー５８、割り込みボタン６０、手動レポートボタン６２、カウント表示ボタン６６、保存文書ボタン６８、クリアボタン７０及びスタートボタン７２を有するが、ジョブ一覧ボタンの代わりにコピー設定ボタン８２が表われる。このコピー設定ボタン８２を押すことによりコピー設定画面に戻ることができる。タッチパネル表示部５６は、ジョブリストを表示するジョブ表示部８４、ジョブを選択するジョブ選択ボタン８６,８６、このジョブ選択ボタン８６,８６で選択されたジョブに対して優先設定する優先ボタン８８、同じくジョブ選択ボタン８６,８６で選択されたジョブに対して詳細を表示させる詳細ボタン９０、及び同じくジョブ選択ボタン８６,８６で選択されたジョブに対してキャンセル指示を設定するストップボタン９２を有する。
【００１８】
図４はカウント確認画面を示す。前述したコピー設定画面又はジョブ一覧表示画面でカウント表示ボタン６４を押すことによりこのカウント確認画面に切り替えられる。押しボタン部５４は、同じくテンキー５８、割り込みボタン６０、手動レポートボタン６２、ジョブ一覧ボタン６４、保存文書ボタン６８、クリアボタン７０、スタートボタン７２及びコピー設定ボタン８２を有するが、カウント表示ボタンの代わりにジョブ一覧表示ボタンが表われる。タッチパネル表示部５６は、全プリント枚数表示を選択するメータ確認ボタン９４、部門別のプリント枚数表示を選択する部門別メータ確認ボタン９６、及び枚数カウント表示部９８とを有する。枚数カウント表示部９８は、メータ確認ボタン９４が押された場合は、全プリント枚数を、部門別メータ確認ボタン９６が押された場合は部門別のプリント枚数をそれぞれ表示する。プリント枚数は、全プリント枚数の他にカラーのプリント枚数と白黒のプリント枚数とを分けて表示される。
【００１９】
図５は保存文書画面を示す。前述したコピー設定画面、ジョブ一覧表示画面又はカウント確認画面で保存文書ボタン６８を押すことによりこの保存文書画面に切り替えられる。押しボタン部５４は、同じくテンキー５８、割り込みボタン６０、手動レポートボタン６２、カウント表示ボタン６６、クリアボタン７０、スタートボタン７２及びコピー設定ボタン８２を有するが、保存文書表示ボタンの代わりにジョブ一覧表示ボタンが表われる。タッチパネル表示部５６は、保存されている文書リストを表示する文書リスト表示部１００、保存文書を選択する文書選択ボタン１０２,１０２、この文書選択ボタン１０２,１０２で選択された文書を削除する削除ボタン１０４、同じく文書選択ボタン１０２,１０２で選択された文書を印刷する印刷ボタン１０６、及び同じく文書選択ボタン１０２,１０２で選択された文書の詳細を表示する詳細ボタン１０８を有する。
【００２０】
図６は手動レポート表示画面を示す。前述したコピー設定画面、ジョブ一覧表示画面、カウント確認画面又は保存文書表示画面で手動レポートボタン６２を押すことによりこの手動レポート表示画面に切り替えられる。押しボタン部５４は、同じくテンキー５８、割り込みボタン６０、カウント表示ボタン６６、クリアボタン７０、スタートボタン７２及びコピー設定ボタン８２を有するが、手動レポートボタンの代わりにジョブ一覧表示ボタンが表われる。タッチパネル表示部５６は、受信レポート、送信レポート、プリントレポート等の種類が表示されるレポート表示部１１０、及び印刷するレポートを選択するレポート選択ボタン１１２,１１２とを有する。このレポート選択ボタン１１２,１１２によりレポートを選択し、スタートボタン７２を押すことにより所望のレポートがプリントされるものである。
【００２１】
図７において、画像形成装置の制御回路例が示され、前述したＵＩ装置５０と共に、ＣＰＵ１１４、システムメモリ１１６、画像蓄積メモリ１１８、入出力インターフェイス１２０、スキャンインターフェイス１２２、プリントインターフェイス１２４、ネットワーク通信インターフェイス１２６及びファクシミリ用のモデムインターフェイス１２８がバス接続されている。ＣＰＵ１１４は、システムメモリ１１６に書き込まれたプログラムに従って各回路を制御するようになっている。ＵＩ装置５０からの操作入力データはＣＰＵ１１４に伝達され、ＣＰＵ１１４からの表示画像データがＵＩ装置５０に伝達するようにしてある。画像蓄積メモリ１１８は、画像処理装置に取り込まれた画像を保存記憶するためのものである。入出力インターフェイス１２０には、前述した原稿セット検出器４６からの原稿セット検出信号と、プラテンカバーの開閉を検出するプラテンカバー開閉検出器４８からのプラテンカバー開閉信号が入力される。
【００２２】
図８において、上記画像形成装置におけるジョブ管理プログラムの内容が示されている。
入力解析部１３０は、ユーザがＵＩ装置の操作パネルに対して行った座標位置やボタンを解析すると共に、入出力インナーフェイスを介して入力された原稿セット信号とプラテンカバー開閉信号とを入力し、解析結果をタイマ制御部１３２及びジョブ管理部１３４に伝達する。タイマ制御部１３２は、入出力解析部１３０で解析されたデータに基づいてタイマ１３６を起動するか否かを判定する。即ち、図９に示すように、ステップＳ１０において、ユーザがなしたプリントに関する操作がプリントの実行に直接関係するか否かを判定し、このステップＳ１０において、プリントの実行に直接関係すると判定された場合は、次のステップＳ１２に進み、タイマ１３６を起動する。一方、ステップＳ１０において、ユーザがなした操作がプリントの実行に直接関係しないと判断された場合はタイマ１３６を起動せずに処理を終了する。どのような操作がプリントの実行に直接関係し、関係しないかは後に詳しく説明する。
【００２３】
ジョブ管理部１３４は、入力解析部１３０で解析されたＵＩ装置からの操作入力データが入力される。また、このジョブ管理部１３４は、ジョブ管理テーブル１３８を有し、この管理テーブル１３８に基づいてジョブリストを作成する。ジョブ管理テーブル１３８は、実行中のジョブを順番に記憶する実行中キュー１４０、実行待ちのジョブを順番に記憶する実行待ちキュー１４２、及び保留中のジョブを順番に記憶する実行保留キュー１４４を有しており、ジョブ管理部１３４は、これらキューを制御するようになっている。実行中キュー１４０にあるジョブは実行部１４６に伝達されて実行され、実行待ちキュー１４２にあるジョブは順番に実行中キュー１４０に移され、プリントジョブに対しては自動プリントが実行される。ただし、実行待ちキュー１４２の実行中キュー１４０への移動は、タイマ制御部１３２によりタイマ１３６が起動した場合は、タイマ１３６がリセットされるまでの所定時間行われないように、ジョブ管理部１３４により制御され、自動プリントが禁止されることになる。なお、図３に示したストップボタン９２を押すことによって実行待ちのジョブが実行保留キュー１４４に移動し、そのジョブの実行が保留される。
【００２４】
ジョブ実行部１４６は、ジョブ管理部１３４で作成されたジョブリストに基づいてスキャン制御部１４８、プリント制御部１５０、ネットワーク通信制御部１５２及びモデム制御部１５４を制御する。キャン制御部１４８、プリント制御部１５０、ネットワーク通信制御部１５２及びモデム制御部１５４は、それぞれ前述したスキャンインターフェイス、プリントインターフェイス、ネットワーク通信インターフェイス及びモデムインターフェイスを制御し、画像を読取り、蓄積し、送受信し、プリントするようになっている。また、イベント検出部１５６は、スキャン制御部１４８、プリント制御部１５０、ネットワーク通信制御部１５２及びモデム制御部１５４から上げられる読取り、蓄積、受信、送信及びプリント能の実行の開始、終了等のイベントを検出し、ジョブ管理部１３４に検出されたデータを伝達する。
【００２５】
ＵＩ画像生成部１５８は、入力解析部１３０とジョブ管理部１３４からの制御データを受け取り、それぞれに対応した制御信号を前述したＵＩ装置に送り、ＵＩ装置において表示するようになっている。
【００２６】
次に上述したように構成された実施形態の作用について説明する。
今、モデムインターフェイス１２８を介してファクシミリ信号を受信したとする。この受信信号は、モデム制御部１５４を介してイベント検出部１５６で検出され、その検出データがジョブ管理１３４に伝達され、管理テーブル１３８の実行待ちキュー１４２に加えられると共に、受信した画像データが画像蓄積メモリ１１８に蓄積される。ここで、ユーザがＵＩ装置５０の操作パネル５２を操作したとする。図２乃至図６に示す操作画面でプリントの実行に直接関係がある操作をした場合は、タイマ制御部１３２ではタイマ１３６を起動し、上記受信したジョブのプリントは実行待ちキュー１４２で所定時間待たされるが、プリントの実行に直接関係がない場合は、タイマ制御部１３２ではタイマ１３６を起動することがなく、自動的に実行中キュー１４０に移され、プリントの実行がなされる。
【００２７】
ここで、どのような操作がプリントに直接関係するか否かについて図２乃至図６を参照しながら説明する。
図２に示すコピー設定画面においては、プリントに直接関係し、タイマを起動することになる操作は次のとおりである。
（１）タッチパネル表示部５６内のボタン（用紙選択ボタン７４、倍率選択ボタン７６,７６、カラー選択ボタン８０）
（２）テンキー５８
（３）クリアキー
（４）スタートボタン７２
（５）手動レポートボタン６２
一方、プリントに直接関係なく、タイマの起動を抑制し、自動プリントを継続する操作は次の通りである。
（１）割り込みキー６０
（２）ジョブ一覧ボタン６４
（３）カウント表示ボタン６６
（３）保存文書表示ボタン６８
【００２８】
図３に示すジョブ一覧表示画面においては、プリントに直接関係し、タイマを起動することになる操作は次のとおりである。
（１）手動レポートボタン６２
（２）コピー設定ボタン８２
一方、プリントに直接関係なく、タイマの起動を抑制し、自動プリントを継続する操作は次の通りである。
（１）テンキー５８
（２）割り込みボタン６０
（３）カウント表示ボタン６６
（４）保存文書表示ボタン６８
（５）クリアボタン７０
（６）スタートボタン７２
（７）タッチパネル表示部５６内のボタン（ジョブ選択ボタン８６,８６、優先ボタン８８、詳細表示ボタン９０、ストップボタン９２）
【００２９】
図４に示すカウント確認画面においては、プリントに直接関係し、タイマを起動することになる操作は次のとおりである。
（１）手動レポートボタン６２
（２）コピー設定ボタン８２
一方、プリントに直接関係なく、タイマの起動を抑制し、自動プリントを継続する操作は次の通りである。
（１）テンキー５８
（２）割り込みボタン６０
（３）ジョブ一覧表示ボタン６４
（４）カウント表示ボタン６６
（５）保存文書表示ボタン６８
（６）クリアボタン７０
（７）スタートボタン７２
（８）タッチパネル表示部５６内のボタン（メータ確認ボタン９４、部門別確認ボタン９６）
【００３０】
図５に示す保存文書表示画面においては、プリントに直接関係し、タイマを起動することになる操作は次のとおりである。
（１）テンキー５８
（２）手動レポートボタン６２
（３）コピー設定ボタン８２
（４）クリアボタン７０
（５）スタートボタン７２
（６）印刷ボタン１０６
一方、プリントに直接関係なく、タイマの起動を抑制し、自動プリントを継続する操作は次の通りである。
（１）割り込みボタン６０
（２）ジョブ一覧表示ボタン６４
（３）カウント表示ボタン６６
（４）文書選択ボタン１０２,１０２
（５）削除ボタン１０４
（６）詳細ボタン１０８
【００３１】
図６に示す手動レポート表示画面においては、プリントに直接関係し、タイマを起動することになる操作は次のとおりである。
（１）テンキー５８
（３）クリアボタン７０
（４）スタートボタン７２
（５）コピー設定ボタン８２
（６）レポート選択ボタン１１２,１１２
一方、プリントに直接関係なく、タイマの起動を抑制し、自動プリントを継続する操作は次の通りである。
（１）割り込みボタン６０
（２）ジョブ一覧表示ボタン６４
（３）カウント表示ボタン６６
（４）保存文書表示ボタン６８
【００３２】
また、同様に外部から画像を受信した場合にあって、ユーザがスキャンユニット１４の自動原稿送り装置４０に原稿をセットしたときは、原稿セット検出器４６により原稿がセットされたことが検出され、入力解析部１３０に入力される。タイマ制御部１３２においては、原稿がセットされてもＵＩ装置５０に対するプリントの実行に直接関係する操作がなされないときはプリントに直接関係がないと判断し、タイマ１３６の起動は禁止される。このため、自動プリントが継続され、受信した画像のプリントが開始されるようになる。また、ユーザがプラテンカバーを開閉したときは、プラテンカバー開閉検出器４８によりその開閉が検出され、同様に入力解析部１３０に入力される。タイマ制御部１３２においては、プラテンカバーが開閉されてもＵＩ装置５０に対するプリントの実行に直接関係する操作がなされないときはプリントに直接関係がないと判断し、タイマ１３６の起動は禁止される。このため、自動プリントが継続され、受信した画像のプリントが開始されるようになる。
【００３３】
なお、上記実施形態においては、コピー関連の動作について説明したが、本発明は、ネットワークを介したパーソナルコンピュータからのプリント操作においても同様に適用できるものである。
【００３４】
【発明の効果】
以上述べたように、本発明によれば、プリントに関する操作情報が入力された場合、プリントの実行に直接関係するか否かが判断され、プリントに直接関係があると判断された場合にのみ、自動プリントが禁止されるか、あるいはプリントに直接関連がないと判断された場合は自動プリントを実行するようにしたので、プリントに関する操作情報が入力された場合であっても自動プリントを禁止しないときを生じさせることができ、自動プリントを禁止する機会を減少させ、プリントの生産性を向上させることができるものである。
【図面の簡単な説明】
【図１】本発明の実施形態に係る画像形成装置を示す側面図である。
【図２】本発明の実施形態に係る画像形成装置に用いたＵＩ装置におけるコピー設定画面を示す平面図である。
【図３】本発明の実施形態に係る画像形成装置に用いたＵＩ装置におけるジョブ一覧表示画面を示す平面図である。
【図４】本発明の実施形態に係る画像形成装置に用いたＵＩ装置におけるカウント確認画面を示す平面図である。
【図５】本発明の実施形態に係る画像形成装置に用いたＵＩ装置における保存文書画面を示す平面図である。
【図６】本発明の実施形態に係る画像形成装置に用いたＵＩ装置における手動レポート表示画面を示す平面図である。
【図７】本発明の実施形態に係る画像形成装置の制御回路例を示すブロック図である。
【図８】本発明の実施形態に係る画像形成装置に用いた管理プログラムを示すブロック図である。
【図９】本発明の実施形態に係る画像形成装置のユーザ操作に対する動作フローを示すフローチャートである。
【符号の説明】
１０    画像形成装置
１２    プリントユニット
１４    スキャンユニット
４０    自動原稿送り装置
４２    プラテン
４６    原稿セット検出器
４８    プラテンカバー開閉検出器
５０    ユーザーインターフェイス装置
５２    操作パネル
５４    押しボタン部
５６    タッチパネル表示部
５８    テンキー
６０    割り込みボタン
６２    手動レポートボタン
６４    ジョブ一覧ボタン
６６    カウント表示ボタン
６８    保存文書表示ボタン
７０    クリアボタン
７２    スタートボタン
１３２  タイマ制御部
１３４  ジョブ管理部
１３６  タイマ
１５６  イベント検出部
【図１】
0003778347.tif 000002
【図２】
0003778347.tif 000003
【図３】
0003778347.tif 000004
【図４】
0003778347.tif 000005
【図５】
0003778347.tif 000006
【図６】
0003778347.tif 000007
【図７】
0003778347.tif 000008
【図８】
0003778347.tif 000009
【図９】
0003778347.tif 000010